(57)【要約】【課題】水力発電装置を設置するとき、従来は水の流れにあらかじめ対処し発電装置を製作していたが水の流れの方向が判らないときは製作できない問題があった。【解決の手段】水力発電装置と水の流れ位置とに対処する固定手段を備えて問題を解決した。【選択図】  図１
2007146792.tif 000002
【特許請求の範囲】
【請求項１】
水車８と、該水車の回転力により発電する発電機１と、これらを支持する支持台１３と、分解可能としかつ水の流れ位置に対処して左右勝手方向変換可能とする該支持台との固定手段１２、１４とを備えたことを特徴とする水力発電装置。
【請求項２】
水車８と、該水車の回転力により発電する発電機１と、ウエイト２０と、これらを支持する支持台１３と、分解可能としかつ水の流れ位置に対処して左右勝手方向変換可能とする該支持台との固定手段１２、１４とを備えたことを特徴とする水力発電装置。
【発明の詳細な説明】
【技術分野】
【０００１】
本発明は水力発電装置に関し、特にその支持台にかかるものである。
【背景技術】
【０００２】
水力発電装置を設置するとき、従来水の流れにあらかじめ対処し発電装置を製作していた。
【０００３】
水力発電装置と水の流れ位置とに対処する固定手段を該装置には備えていなかった。
【発明の開示】
【発明が解決しようとする課題】
【０００４】
水力発電装置と水の流れ位置とに対処する手段。
【０００５】
また、水の流れの方向によって生じるモーメントに対処する手段。
【課題を解決するための手段】
【０００６】
請求項１における発明において、水車８と、該水車の回転力により発電する発電機１と、これらを支持する支持台１３と、分解可能としかつ水の流れ位置に対処して左右勝手方向変換可能とする該支持台との固定手段１２、１４とを備えた。
【０００７】
請求項２における発明において、水車８と、該水車の回転力により発電する発電機１と、ウエイト２０と、これらを支持する支持台１３と、分解可能としかつ水の流れ位置に対処して左右勝手方向変換可能とする該支持台との固定手段１２、１４とを備えた。
（作用）
【０００８】
請求項１のごとく構成した水力発電機において、水車８が発電機１、増速機３に一体に取付けられ該発電機とが支持台１３に固定手段１２、１４によって図４、図５に明瞭に示すごとく固定してあり、該固定手段は固定された個所を分解して図１、図２に同様に示すごとく左右勝手方向を変換して該固定手段にて発電機と支持台を固定する。
【０００９】
請求項２のごとく構成した水力発電機において、ウエイト２０を備えていて、水の流れの方向に生じるモーメントに抗して固定手段で支持台に固定する。
【発明の効果】
【００１０】
請求項１の発明に対する効果は、水車８と、該水車の回転力により発電する発電機１と、これらを支持する支持台１３と、分解可能としかつ水の流れ位置に対処して左右勝手方向変換可能とする該支持台との固定手段１２、１４とを備えたので、水の流れ位置に対処して固定手段で固定した発電機の固定位置を分解して支持台を左右勝手方向の変換が可能であるので、図５の右側の水の流れ位置に対処して、または図２の左側の水の流れに対処して固定手段を変更し逆の水の流れに対応して発電機を機能させることができる。
【００１１】
請求項２の発明に対する効果は、上記請求項１の発明の効果に併せて、水流が大きく変化する場合もウエイトは支持台を川底に押さえる力が大きいので支持台と発電機の位置関係を上記固定手段もしくは別途の手段によって変更調整させる必要がなくかつ水流が水車に当たる力によるモーメントに対抗して転倒、据付け位置の変化を防止できる。
かくのごとく、各請求項に対し顕著な効果を奏する。
【発明を実施するための最良の形態】
【００１２】
【実施例】
【００１３】
図１および図２において複数の水車羽根１７、１７・・を水車底板１９の周りに放射状に配置し、水車側板１１、１０に一体に固定した水車８が構成されている。図１は水車側板１１にフランジ７がボルト６によって取り付けられている。フフランジ７は増速機３の入力軸５に嵌められ一体で回転するようになっている。このフランジ７と増速機３の入力軸５の嵌め方の詳細を図１１に示す。詳細は後述する。
【００１４】
増速機３にはフート９、１５がボルト１６、１６、４、４によって取り付けられている。この構成で、水車８、増速機３、発電機１は軽量なアルミニウム合金製の支持台１３に一体に組み立てられた。この構成で図の矢印に示す水流によって水車８は発電機１の後面から見て矢印に示す逆時計回りに回転する。図２は図１の左側面図である。
【００１５】
発電機１の後方から見て図２と図５は回転方向が逆である。図５は図４の右側面図である。
【００１６】
図４は水車８を増速機３の左側に配置した図でフランジ７を図３の水車８の側板１０の図３示すボルト穴２０１に取り付け直したもので、水の流れの位置に対処したものである。
【００１７】
図５は図４の右側面図である。この構成で図５の矢印に示す水流によって水車８は発電機１の後面から見て矢印に示す時計回りに回転する。
発電機１の後方から見て図２と図５は回転方向が逆である。
【００１８】
発電機１が交流発電機であればどちらの方向に回転しても同じように交流発電出力が得られる。整流器内蔵の直流発電機も、どちらの方向に回転してもプラス側とマイナス側が同じで発電出力が得られる。
【００１９】
発電機が回転の方向を逆にしても同一の発電出力を得る場合、さらに望ましいことは水の流れに水車自体が高効率に回転方向が即するごとくに水車を組替える。その場合に実施例で構成を述べる。
【００２０】
図１２は図１１のＡＡ断面である。図１１において、フランジ７に明けられたネジ穴に止めネジ７１が取り付けられている。フランジ７を入力軸５にキー７２と共に嵌め、フランジ７と入力軸５が一体で回転するようにした後、止めネジ７１を締め、フランジ７がスラスト方向に移動しないようにしている。水車８と発電機１および増速機３を分解してこの装置を持ち運びするとき、この止めネジ７１を緩めるだけの簡単な作業で済む。図１に戻って、増速機３には発電機１がボルト２、２・・により直結されている。
【００２１】
図５はウエイト２０である。ウエイトは箱のほか可とう性の袋に水、小石、れきを入れて供する。金属ワイヤ、ひも２０２、ボルト・ナット、クランプを用いて支持台に固定手段で固定する。
【００２２】
支持台との固定手段１２，１４の実施例は、ボルト・ナット、クランプ、蝶ねじ等を使用する。
【００２３】
以上述べた実施例の数値をのべる。水車直径４００ｍｍ、幅２００ｍｍ、増速機、発電機および支持台を含めた携帯型水力発電装置の全重量が６．６ｋｇとなった。発電能力は水の落差１ｍで最大出力５０Ｗが得られる。落差がなくても、下掛け水車として、流速が１．６ｍ／ｓ以上になると発電を開始する。図１０参照。
【００２４】
−実施例における効果−
前記した実施例の数値のサイズでは、このくらいのサイズと重量の発電装置は乗用車のトランクにも容易に入り、携帯用として適している。最終運転地点への運搬も１人で容易に持ち運びができ、車の行けない場所への設置も簡単にできる。
なお、図５に示すウエイト２０は水車を運転する現地にある豊富な水を充填するタイプで、携帯時は軽くて持ち運びが容易である。水車を、回転方向が即するごとく組み替えた場合は軸出力が高効率になる。
【図面の簡単な説明】
【００２５】
【図１】複数の水車羽根を備えた水車、発電機を支持台に一体に配した水力発電装置。
【図２】図１の左側面図である。
【図３】図１の右側面図である。
【図４】水車を発電機の左側に配置した図で、水の流れの位置に対処したものである。
【図５】図５は図４の右側面図である。
【図１０】水車の水流説明図
【図１１】水車に取り付けたフランジと増速機の入力軸の嵌め方の詳細図
【図１２】図１１のＡＡ断面である。
【符号の説明】
【００２６】
１  発電機
５  増速機入力軸
７  フランジ
８  水車
１３  支持台
１２、１４    固定手段
１７  水車羽根
【図１】
2007146792.tif 000003
【図２】
2007146792.tif 000004
【図３】
2007146792.tif 000005
【図４】
2007146792.tif 000006
【図５】
2007146792.tif 000007
【図１０】
2007146792.tif 000008
【図１１】
2007146792.tif 000009
【図１２】
2007146792.tif 000010
【手続補正書】
【提出日】平成18年1月12日(2006.1.12)
【手続補正１】
【補正対象書類名】明細書
【補正対象項目名】００２５
【補正方法】変更
【補正の内容】
【００２５】
【図１】複数の水車羽根を備えた水車、発電機を支持台に一体に配した水力発電装置。
【図２】図１の左側面図である。
【図３】図１の右側面図である。
【図４】水車を発電機の左側に配置した図で、水の流れの位置に対処したものである。
【図５】図５は図４の右側面図である。
【図６】水車の水流説明図
【図７】水車に取り付けたフランジと増速機の入力軸の嵌め方の詳細図
【図８】図７のＡＡ断面である。
【手続補正２】
【補正対象書類名】図面
【補正対象項目名】全図
【補正方法】変更
【補正の内容】
【図１】
2007146792.tif 000011
【図２】
2007146792.tif 000012
【図３】
2007146792.tif 000013
【図４】
2007146792.tif 000014
【図５】
2007146792.tif 000015
【図６】
2007146792.tif 000016
【図７】
2007146792.tif 000017
【図８】
2007146792.tif 000018
【手続補正３】
【補正対象書類名】明細書
【補正対象項目名】００２０
【補正方法】変更
【補正の内容】
【００２０】
図８は図７のＡＡ断面である。図７において、フランジ７に明けられたネジ穴に止めネジ７１が取り付けられている。フランジ７を入力軸５にキー７２と共に嵌め、フランジ７と入力軸５が一体で回転するようにした後、止めネジ７１を締め、フランジ７がスラスト方向に移動しないようにしている。水車８と発電機１および増速機３を分解してこの装置を持ち運びするとき、この止めネジ７１を緩めるだけの簡単な作業で済む。図１に戻って、増速機３には発電機１がボルト２、２・・により直結されている。
【手続補正４】
【補正対象書類名】明細書
【補正対象項目名】００２３
【補正方法】変更
【補正の内容】
【００２３】
以上述べた実施例の数値をのべる。水車直径４００ｍｍ、幅２００ｍｍ、増速機、発電機および支持台を含めた携帯型水力発電装置の全重量が６．６ｋｇとなった。発電能力は水の落差１ｍで最大出力５０Ｗが得られる。落差がなくても、下掛け水車として、流速が１．６ｍ／ｓ以上になると発電を開始する。図６参照。